(57)【特許請求の範囲】
【請求項１】
棚本体（１）に支持された複数の棚部（２）に陳列した各種商品を照明する商品陳列棚の照明装置において、
前記棚部（２）の前端上側から下方に向かって前記棚部（２）の前端を覆い、前記棚部（２）の前端下側で前記棚部（２）の後方に向けて開口する如く断面円弧状に膨出する透光性ケース（３６）と、前記透光性ケース（３６）内に配置される照明体（３７）と、を備え、
前記棚部（２）は、前記棚本体（１）に上下位置が可変自在に取り付け支持される枠体（２６）と、前記枠体（２６）の上面に載置される棚板（２７）と、を有し、
前記枠体（２６）の前端には、上方に向けて延設された垂直上向き片（３１ｃ）と下方に向けて延設された垂直下向き片（３１ａ）とを上下に一体に有した支持部材（３１）が固定され、
前記透光性ケース（３６）は、断面円弧状に膨出した上端から略水平に後方に延出される板状の基片（３８）が設けられ、該基片（３８）の底面には下向きに開口する固定溝（３９ａ）が形成された固定片（３９）が垂下して形成され、前記固定片（３９）の前記固定溝（３９ａ）を前記支持部材（３１）の垂直上向き片（３１ｃ）に嵌挿して取り付けられ、
前記照明体（３７）は、前記支持部材（３１）の垂直下向き片（３１ａ）に取り付けられた照明体支持具（４４）で保持されていることを特徴とする商品陳列棚の照明装置。
【請求項２】
前記透光性ケースの両側には、膨出する断面円弧状に沿った円形あるいは長円形の側板が取り付けられていることを特徴とする請求項１に記載の商品陳列棚の照明装置。
【発明の詳細な説明】
【０００１】
【発明の属する技術分野】
本発明は、各種商品を陳列する商品陳列棚に関するものである。
【０００２】
【従来の技術】
従来、店頭などにおいて各種商品を陳列する商品陳列棚として、図１７に示すものがある。この商品陳列棚は、棚本体１０１と棚部１０２とで構成されている。棚本体１０１は、床面に載置される基台１０３と、この基台１０３上に取り付けられる背板１０４および側板１０５とによりなる。基台１０３の内部には照明体１０６が設けられている。背板１０４および側板１０５は、略コ字状に組まれる複数のユニットをなし、このユニットを基台１０３上に上下に連結することにより棚本体１０１が構成される。各背板１０４には、照明体１０６が配設されている。側板１０５は、水平な溝条１０５ａを高さ方向に等間隔で複数有している。また、上下に連結された上段のユニットには、広告灯１０７が取り付けられる。広告灯１０７は、正面側に張り出す箱体１０７ａの内部に照明体１０６を有している。
【０００３】
棚部１０２は、棚枠１０８と棚板１０９とで構成されている。棚枠１０８は、各側板１０５に設けられた溝条１０５ａに正面側から挿通されて各側板１０５間に支持される。棚板１０９は、棚枠１０８上に載置される透光性を有した板材である。また、棚板１０９の前端には、内部に照明体１０６を備えた照明装置１１０が配設されている。
【０００４】
上記商品陳列棚に採用される照明装置１１０は、棚板１０９の前側上面に載置される透光性ケース１１０ａの内部に照明体１０６（主に蛍光灯）を有している。そして、照明体１０６の照明光を透光性ケース１１０ａに透過させてその周囲を照らす。また、照明体１０６の照明光は、透光性の棚板１０９を透過して棚板１０９の下側を照らす。
【０００５】
【発明が解決しようとする課題】
しかしながら、上述した従来の商品陳列棚の照明装置では、照明体１０６を内部に有する透光性ケース１１０ａが棚板１０９の前側上面に載置されるため、透光性ケース１１０ａの底面は、透光性の棚板１０９に照明光を透過させるべく平らに開口し、且つ、透光性ケース１１０ａの外形は、棚板１０９上の商品陳列スペースを狭くしないように極めて小型に膨出するように形成される。このように、従来の照明装置１１０は、その形状が機能重視で限定されるため、独特の個性を感じさせる形状にすることができないという問題があった。すなわち、どの商品陳列棚も同様の照明装置であるため、他の商品陳列棚との差異が感じられず、陳列した商品を一際目立たせることが難しかった。
【０００６】
また、従来の商品陳列棚の照明装置では、透光性ケース１１０ａが、棚板１０９の前端面に載置されているため、棚板１０９の前端面には、透光性ケース１１０ａを固定するためのネジ通し穴や、配線を行う配線通し穴が必要となる。また、照明装置１１０を取り付けた棚板１０９を前端側から見た際には、ネジ通し穴から突出したネジや、配線通し穴から突出した配線が見えることとなるため見栄えが損なわれるという問題がある。
【０００７】
そこで本発明は、上記課題を解消するために、商品陳列棚および商品を一際目立たせるとともに、固定部位や配線等を隠すことのできる商品陳列棚の照明装置を提供することを目的としている。
【０００８】
【課題を解決するための手段】
上記目的を達成するため本発明による請求項１に記載の商品陳列棚の照明装置は、
棚本体１に支持された複数の棚部２に陳列した各種商品を照明する商品陳列棚の照明装置において、前記棚部２の前端上側から下方に向かって前記棚部２の前端を覆い、前記棚部２の前端下側で前記棚部２の後方に向けて開口する如く断面円弧状に膨出する透光性ケース３６と、前記透光性ケース３６内に配置される照明体３７と、を備えている。
また、前記棚部２は、前記棚本体１に上下位置が可変自在に取り付け支持される枠体２６と、前記枠体２６の上面に載置される棚板２７と、を有し、前記枠体２６の前端には、上方に向けて延設された垂直上向き片３１ｃと下方に向けて延設された垂直下向き片３１ａとを上下に一体に有した支持部材３１が固定され、前記透光性ケース３６は、断面円弧状に膨出した上端から略水平に後方に延出される板状の基片（３８）が設けられ、該基片（３８）の底面には下向きに開口する固定溝（３９ａ）が形成された固定片（３９）が垂下して形成され、前記固定片（３９）の前記固定溝（３９ａ）を前記支持部材３１の垂直上向き片３１ｃに嵌挿して取り付けられている。前記照明体３７は、前記支持部材３１の垂直下向き片３１ａに取り付けられた照明体支持具４４で保持されていることを特徴とする。
【０００９】
請求項２に記載の商品陳列棚の照明装置は、請求項１に記載の商品陳列棚の照明装置において、
前記透光性ケースの両側には、膨出する断面円弧状に沿った円形あるいは長円形の側板が取り付けられていることを特徴とする。
【００１２】
【発明の実施の形態】
以下、本発明の実施の形態を図面を参照して具体的に説明する。
最初に、本発明の商品陳列棚の照明装置が採用される商品陳列棚の一例を説明する。
図１に示すように、本実施の形態による商品陳列棚は、棚本体１と棚部２とからなる。
【００１３】
まず、棚本体１は、床面に載置される基台３と、基台３の両側部に立設される長手状の左右一対の支柱４，４とで構成されている。
【００１４】
基台３は、図２に示すように、水平で且つ平行となるように配される長手状の左右一対のフレーム５，５を有している。各フレーム５，５の後端５ａ，５ａには、それぞれ各支柱４，４の下端４ａ，４ａが固定されて略Ｌ字状となり、且つ、各支柱４，４の下端４ａ，４ａが支持梁６によって連結されている。これにより、各支柱４，４が床面上にて立設される。また、支柱４とフレーム５の固定部位は、補強リブ７によって相互の連結が補強されている。また、フレーム５，５の前端５ｂ，５ｂおよび支柱４，４の下端４ａ，４ａの底面には、アジャスタ８が取り付けられていて、棚本体１における高さ微調整および床面の傾斜に対する微調整などが可能となっている。また、各フレーム５の外側および上側は、樹脂材（アクリル樹脂など）を真空成型した基台カバー９によって覆われている。
【００１５】
一対の支柱４，４は、上記の如く基台３のフレーム５，５に固定されて、基台３の左右両側部に対をなして立設される。各支柱４，４を連結する支持梁６は、各支柱４，４の上端４ｂ，４ｂも連結し、基台３に立設された状態を補強している。各支柱４，４は、筒状の四角柱をなし、その前面には、上下方向に所定間隔をおいて複数の支持穴１０が設けられている。この支持穴１０には、後述する棚部２が取り付け支持される。
【００１６】
基台３に立設された各支柱４は、その長手方向（上下方向）に複数連結されてなる。各支柱４は、連結杆１１を介して連結される。連結杆１１は、支柱４の下端４ａから延出されて、他の支柱４の上端４ｂ側から筒内に嵌挿される。また、連結杆１１は、支持穴１０を塞ぐことなく支持穴１０にかかる部分が開口した略筒状の四角柱をなしている。
【００１７】
上記の如く上下方向に連結される支柱４は、対をなす左右がそれぞれ等しい長さとされている。また、等しい長さとされた左右一対の支柱４，４は、その下端４ａ，４ａと上端４ｂ，４ｂがそれぞれ支持梁６，６で連結補強されている。このように、左右一対の支柱４，４は、各上下端４ａ，４ｂが支持梁６で連結された枠状に形成され、上下方向に連結可能に形成された複数（本実施の形態では四つ）のユニット４Ａ〜４Ｄをなす。
【００１８】
各ユニット４Ａ〜４Ｄは、様々な高さ（上下長さ）とされている。本実施の形態では、基台３に立設されるユニット４Ａがアジャスタ８を含めて略１０５０ｍｍとされ、その上のユニット４Ｂが略３００ｍｍとされ、その上のユニット４Ｃが１５０ｍｍとされ、さらにその上のユニット４Ｄが１５０ｍｍとされている。ゆえに、ユニット４Ａに対し、他のユニット４Ｂ，４Ｃ，４Ｄを組み合わせて上下連結することにより、様々なパターンで所望とする使用高さの棚本体１を得ることが可能となる。
【００１９】
各ユニット４Ａ〜４Ｄがなす枠状部分には、背面パネル１２が取り付けられている。図２に示すように、背面パネル１２は、各ユニット４Ａ〜４Ｄにおいて対をなす支柱４の間で対向するように支柱４に沿って設けられたレール１３に対し、左右側端が挿通されることによって取り付けられる。また、背面パネル１２は、上下方向の長さが、各ユニット４Ａ〜４Ｄの支柱４と同じ長さとされており、各ユニット４Ａ〜４Ｄを連結した際に、互いの上端と下端が突き当てられて、それぞれのユニット４Ａ〜４Ｄの前面に配される。
【００２０】
背面パネル１２は、図３（ａ），（ｂ）に示すように、板体１２ａと、板体１２ａの前面（表面）に貼着されたシート体１２ｂとからなる。板体１２ａは、例えば樹脂材（アクリル樹脂など）からなる板材あるいは、例えばベニア板などの合板により形成されている。シート体１２ｂは、光反射性の表面に、光を前側（表面側）に拡散させるように凹凸状を有した、いわゆるプラスチック製のエンボスシートとして形成されている。なお、シート体１２ｂの光反射性の表面とは、光沢あるいは光を反射し易い色彩（例えば白色やメタリック顔料が配合されたグレー）などが施されたものである。また、光を前側（表面側）に拡散させる凹凸状とは、例えば表面に向かって鋭角な凸部あるいは凹部が形成されて、反射する斜面を有したものである。また、背面パネル１２は、例えば白色のアクリル樹脂板などで形成されその表面に光反射性のエンボスが施されたものでも良い。
【００２１】
また、図１および図２に示すように、各ユニット４Ａ〜４Ｄを連結した際に、最上段となるユニット（本実施の形態ではユニット４Ｄ）の各支柱４の上端には、広告灯１５が取り付けられている。
【００２２】
図４乃至図７に示すように、広告灯１５は、各支柱４の上端に挿通して取り付けられる各柱材１６を有している。柱材１６は、下端１６ａがユニット４Ｄの支柱４に固定されている。柱材１６は、下端１６ａから上方に延出しつつ上端１６ｂが前方に向くように湾曲形成されている。そして、各柱材１６，１６の各上端１６ｂ，１６ｂの間は、それぞれ梁材１７によって連結補強されている。また、梁材１７の前側には、照明体１８が取り付けられている。照明体１８は、例えば蛍光灯であって、梁材１７に固定された略Ｃ字状の弾性支持部１９に嵌挿されて取り付けられる。
【００２３】
各柱材１６の間には、湾曲する後側から上側にかけ、さらに梁材１７にある照明体１８の前側を覆う透光性カバー２０が取り付けられている。透光性カバー２０は、例えば乳白色などの透光性樹脂材（アクリル樹脂など）からなる。また、透光性カバー２０の前側および各柱材１６の外側面は、有色カバー２１にて覆われている。有色カバー２１は、例えば青色や黒色などの濃色が施された樹脂材（アクリル樹脂など）からなる。この有色カバー２１には、所望の標示の形状をなす穿孔部２２が形成されている。すなわち、照明体１８の照明光が、透光性カバー２０を透過して有色カバー２１の穿孔部２２の形状を白色にて鮮明に浮き立たせることとなる。なお、有色カバー２１の穿孔部２２は孔として構成されずに、所望の標示の形状をなす光透過性の透光部として構成されていてもよい。また、透光性カバー２０は、穿孔部２２の形状を白色にて浮き立たせるものであるため、少なくとも有色カバー２１の穿孔部２２の部位を内側から閉塞するように設けられていればよい。
【００２４】
なお、各柱材１６の間には、ユニット４Ｄに取り付けられた背面パネル１２が、その上下長さを長くして上方に延在することにより、広告灯１５における背面パネルとして用いられる。
【００２５】
次に、棚部２は、図８および図９に示すように、棚本体１に取り付け支持される一対の支持アーム２５と、各支持アーム２５の間で位置決め支持される枠体２６と、枠体２６の上面に載置される棚板２７とを有している。
【００２６】
支持アーム２５は、前後方向に長手状の板体であり、その後端縁に下向き鉤状の係合爪２８を上下に二つ有している。各係合爪２８は、支柱４に設けられた各支持穴１０の所望の二つに係合する。ゆえに、支持アーム２５は、棚本体１の支柱４に上下位置が可変自在に取り付け支持される。また、支持アーム２５の上端縁は平坦に形成され、その部分に前向き鉤状の係合爪２９を前後に二つ有している。この係合爪２９には、枠体２６が係合する。
【００２７】
枠体２６は、前後方向に延在する角柱状の二つの梁材２６ａ，２６ａと、左右方向に延在する角柱状の二つの梁材２６ｂ，２６ｂを連結して枠状に形成されている。この枠体２６は、基台３に立設された一対の支柱４，４の間隔と略同じ寸法の左右幅をなし、上面および底面が平坦に形成されている。また、枠体２６の左右にある梁材２６ａ，２６ａの底面には、支持アーム２５の係合爪２９に係合する係合穴３０が設けられている。ゆえに、枠体２６は、係合穴３０を係合爪２９に挿通し、後方にスライドさせることにより係合爪２９に係合され、左右および後方への位置ズレが抑止されて支持アーム２５の間で位置決め支持される。
【００２８】
また、枠体２６の前端（前側にある梁材２６ｂの前端）には、二つの支持部材３１，３１が固定されている。支持部材３１は、梁材２６ｂの前端に固定されて下方に向けて延設された垂直下向き片３１ａと、枠体２６の上面に面一となるように垂直下向き片３１ａの上端から枠体２６の前側に向けて延設された水平片３１ｂと、水平片３１ｂの前端から上方に向けて延設された垂直上向き片３１ｃとからなる。
【００２９】
棚板２７は、支持アーム２５に支持された枠体２６の上面に載置される。棚板２７は、透明な樹脂板（アクリル樹脂板など）を方形状にしたものであり、左右幅が枠体２６と略同じ寸法であり、前後幅が枠体２６よりも大きく形成されている。棚板２７の後端縁には、垂直に立設された止め板３２が設けられている。また、棚板２７の前端側の底面には、二つの係止突起３３，３３が設けられている。各係止突起３３は、棚板２７を枠体２６に載置した際、枠体２６に設けられた各支持部材３１の間で各水平片の内側端に当接する位置に設けられている。また、棚板２７は、枠体２６に載置された際、自身の前端が各支持部材３１の水平片３１ｂ上に載るとともに、垂直上向き片３１ｃに当接する。ゆえに、枠体２６に載置された棚板２７は、各係止突起３３が各支持部材３１の間で各水平片３１ｂの内側端に当接して左右方向に位置決めされる。また、棚板２７は、各係止突起３３が枠体２６の前端に当接するとともに、自身の前端が各支持部材３１の垂直上向き片３１ｃに当接することにより前後方向に位置決めされる。また、棚板２７の後端にある止め板３２は、棚板２７上に陳列した商品の後側への崩れ止めをなす。
【００３０】
上記構成の棚部２の前端側には、照明装置３５が取り付けられている。
図１０および図１１に示すように、照明装置３５は、透光性ケース３６と、透光性ケース３６内に配置される照明体３７とからなる。
【００３１】
透光性ケース３６は、乳白色などの透光性樹脂材（ポリカーボネート樹脂，スチレン系樹脂，アクリル樹脂など）の押出成型によって棚部２の左右方向に沿う長手状に形成されている。この透光性ケース３６の断面形状は、棚部２の前端上側から下方に向かって棚部２の前端を覆い、棚部２の前端下側で棚部２の後方に向けて開口する如く円弧状に膨出するように形成されている。即ち、透光性ケース３６は、円形あるいは長円形の筒体の一部をなす断面略Ｃ字状に形成されている。
【００３２】
透光性ケース３６の断面略Ｃ字状の上端には、略水平にして後方に延出された板状の基片３８が設けられている。基片３８の底面には、固定片３９が垂下して延設されている。固定片３９には、下向きに開口する固定溝３９ａが形成されている。また、基片３８の後端には、取付け片４０が垂下して設けられている。取付け片４０には、上向きに開口する複数（二つ）の取付け溝４０ａが形成されている。なお、上記基片３８、固定片３９（固定溝３９ａ）、取付け片４０（取付け溝４０ａ）は、透光性ケース３６とともに押出成型によって長手状にして一体に形成されている。
【００３３】
このように形成された透光性ケース３６は、棚部２における枠体２６に設けられた支持部材３１の垂直上向き片３１ｃに対し、円弧状に膨出した内部の上側から垂下する固定片３９の固定溝３９ａを嵌挿することにより棚部２側に固定される。
【００３４】
また、透光性ケース３６の略円弧状とされた前面には、上下の爪部３６ａの間に透明薄板４１が取り付けられている。そして、透光性ケース３６の前面と透明薄板４１との間には、棚部２に陳列する商品にかかる名前や金額などが記された表示板（不図示）が収容される。また、基片３８の上面には、棚部２に陳列する商品を管理するバーコードなどが記された略Ｌ字状の管理板４２が、取付け溝４０ａの一つを用いて取り付けられる。なお、他の取付け溝４０ａには、棚部２に陳列された商品を区別する仕切部材（不図示）や、陳列した商品の説明などが記された銘板（不図示）などが差し止められる。
【００３５】
透光性ケース３６の左右両側には、透光性ケース３６の断面円弧状を象る円形あるいは長円形の側板４３が取り付けられている。この側板４３は、例えば青色や黒色などの濃色が施された樹脂材（アクリル樹脂など）からなる。また、側板４３を透光性ケース３６に取り付ける際、その一部が棚部２の棚板２７の側端の一部と干渉することとなるが、図８示すように、棚板２７の干渉する部位に切欠き２７ａを設けたことにより、棚板２７と側板４３との干渉を防ぎ、且つ、側板４３の外側面と、棚板２７の側端面を面一にしている。
【００３６】
照明体３７は、蛍光灯からなる。照明体３７は、枠体２６に設けられた支持部材３１の垂直下向き片３１ａの前面に固定された照明体支持具４４の略Ｃ字状の弾性支持部４４ａに嵌挿されて取り付けられ、透光性ケース３６内に配される。また、照明体３７の配線は、棚部２の下側にて透光性ケース３６の後方への開口部分から後方に向かい、棚部２の枠体２６に取り付けられた安定器（不図示）に接続されている。
【００３７】
なお、上記照明体３７をなす蛍光灯は、蛍光管の内面に紫外線反射性の金属酸化物微粒子（酸化チタン，酸化亜鉛，酸化セリウムなど）が配設されており、蛍光体を透過した紫外線を反射させて、再び蛍光体を発光させ、より明るい照明光を得ることができ、さらに照明体３７より出てくる紫外線をカットすることができるので陳列された化粧品などの商品の光劣化を防ぐことができる。
【００３８】
上記構成の各棚部２の左右両側部には、小側板４５が取り付けられる。
図１２及び図１３に示すように、小側板４５は、板状の小側板本体４５ａと、支持片４５ｂとからなる。支持片４５ｂは、直立する小側板本体４５ａの棚部２側に向く内面に水平に延在して取り付けられた板体であり、その先端部に、垂下して延在する垂片４５ｃを有している。垂片４５ｃは、小側板本体４５ａとの間に枠体２６の梁材２６ａに嵌挿される間隔を有している。
【００３９】
このように構成された小側板４５は、枠体２６の梁材２６ａを小棚板本体４５ａと垂片４５ｃとの間で挟むように嵌挿し、梁材２６ａの上面にある支持片４５ｂの上に棚板２７を載置することにより、枠体２６と棚板２７との間で挟持されて棚部２の左右両側端に取り付けられる。また、小棚板本体４５ａは、その前端部分が、前記照明装置３５の側板４３の外形に沿って円形あるいは長円形の一部をなして形成されており、側板４３に沿って取り付けられる。また、小棚板４５は、透明性の樹脂材（アクリル樹脂など）によって成形されている。
【００４０】
なお、上記小側板４５の他、棚本体１の左右側部の双方あるいは何れかには、大側板４６が取り付けられる。
図１４に示すように、大側板４６は、支柱４の上下方向に沿う所定長さと、フレーム５の前後方向に沿う長さを有した透光性の樹脂材（アクリル樹脂など）からなる板体であり、支柱４およびフレーム５の側面にネジ固定される。
【００４１】
このように、各棚部２毎の側部には小側板４５が取り付けられ、棚本体１には各棚部２の側部に沿って大側板４６が取り付けられる。ゆえに、本実施の形態の商品陳列棚は、様々な側板を用いることが可能である。
【００４２】
上記構成の棚本体１には、小物の商品を掛けるためのハンガー４７が取り付けられる。
図１５に示すように、ハンガー４７は、上方および後方に延出する略Ｌ字状とされた一対の板材４８，４８の後端に、支柱４の支持穴１０に係合される下向き鉤状の係合爪４８ａを有している。また各板材４８，４８の上端は、長手板状の掛止板４９により連結されている。掛止板４９は板面を前後方向に向けている。これにより、ハンガー４７は、板材４８，４８により棚本体１の支柱に上下位置が可変自在に取り付け支持される。そして、掛止板４９には、フック部材５０が掛止される。フック部材５０は、掛止板４９に上側から差し込まれる下向き開口の掛止部５０ａの前側に延出する棒状体５０ｂを有してなる。小物の商品は、この棒状体５０ｂに掛けられて陳列される。
【００４３】
上記構成の棚本体１には、小物の商品を掛けるためのネット５１が取り付けられる。
図１６（ａ），（ｂ）に示すように、ネット５１は、水平と垂直に交差する格子状の網目を有して方形状の外形をなしている。ネット５１の左右両側部の上下には、それぞれ支柱４の支持穴１０に係合される下向き鉤状の各係合爪５２が設けられている。ゆえに、ネット５１は、棚本体１の支柱４に上下位置が可変自在に取り付け支持される。そしてネット５１の網目の水平部分には、上述したフック部材５０が掛け止められ、このフック部材５０により小物の商品が陳列される。
【００４４】
上述した構成の商品陳列棚を組み立てる。
まず、棚本体１を組み立てる際には、基台３をなす各フレーム５に対し、ユニット４Ａをなす支柱４を固定する。次いで、各支柱４の下端４ａ同士、および上端４ｂ同士を支持梁６にて連結する。次いで、フレーム５に基台カバー９を取り付ける。次いで、各支柱４のレール１３に背面パネル１２を挿通させる。これにより、ユニット４Ａをなす左右一対の各支柱４が、床面に立設される。基台３が床面に対して安定して載置されていない場合には、アジャスタ８により微調整する。
【００４５】
続いて、ユニット４Ａにユニット４Ｂ〜４Ｄを取り付ける。ユニット４Ｂおよびユニット４Ｃは、それぞれ各支柱４の下端４ａ同士および上端４ｂ同士を支持梁６にて連結し、その下端４ａにある連結杆１１を取り付けるべき下側のユニットの支柱４の上端４ｂに挿通嵌合させる。その後、背面パネル１２をレール１３に挿通して取り付ける。これらユニット４Ｂおよびユニット４Ｃは、双方を使用する、何れか一方を使用する、あるいは双方を使用しないなど、棚本体の使用高さに応じて決定すればよい。
【００４６】
また、広告灯１５が設けられたユニット４Ｄは、最上段に取り付けられる。この場合、ユニット４Ｄに背面パネル１２を含み広告灯１５を上述の如く取り付け、ユニット４Ｄの支柱４の下端４ａにある連結杆１１を取り付けるべき下側のユニットの支柱４の上端４ｂに挿通嵌合させる。このように取り付けられた広告灯１５は、前側の有色カバー２１の穿孔部２２を鮮明に浮き立たせるとともに、下側乃至後側を照明する。
【００４７】
次に、棚本体１に棚部２を取り付ける。まず、左右各支柱４の支持穴１０の同じ高さの部分にそれぞれ一対の支持アーム２５を取り付ける。この支持アーム２５の取り付け位置により、棚部２の上下位置が決定する。次いで、支持アーム２５の間に枠体２６を架設するように取り付ける。次いで、枠体２６の上に棚板２７を載置する。
【００４８】
ここで、小側板４５を要する場合には、棚板２７を枠体２６に載置する前に、枠体２６の梁材２６ａに小側板４５の支持片４５ｂを取り付ければよい。
【００４９】
次に、照明装置３５取り付ける。まず、上記の如く棚本体１に取り付けられた棚部２の枠体２６にある支持部材３１（垂直下向き片３１ａ）に照明体３７を取り付け配線する。次いで、透光性ケース３６を支持部材３１（垂直上向き片３１ｃ）に取り付けて照明体３７を覆う。このように取り付けられた照明装置３５は、透光性ケース３６を介して前側乃至上側と、透光性ケース３６の後方の開口から下側乃至後側を照明する。
【００５０】
次に、ハンガー４７を要する場合には、各板材４８の係合爪４８ａを支持穴１０に係合させ、掛止板４９にフック部材５０を掛止する。また、ネット５１を要する場合には、係止爪５２を支持穴１０に係合させ、フック部材５０をネット５１の網目の水平部分に掛止する。
【００５１】
次に、大側板４６を要する場合には、連結された各支柱４およびフレーム５の外側面に所望の大側板４６をネジ固定すればよい。
【００５２】
したがって、このように構成された商品陳列棚の照明装置では、照明体３７を内部に有する透光性ケース３６が、棚部２の前端上側から下方に向かって棚部２の前端を覆い、棚部２の前端下側で棚部２の後方に向けて開口する如く円弧状に膨出するように形成されている。即ち、透光性ケース３６は、棚部２の前端から前側に突出するように円弧状に膨出していることにより、棚板２７上の商品陳列スペースを狭くすることがなく、且つ、照明光を外方に大きく広がるように照らすことが可能となる。これにより、照明光が明るく感じられて、陳列した商品を一際目立たせることができる。
【００５３】
また、透光性ケース３６は、円弧状に膨出した内部の上側から垂下する固定片３９の固定溝３９ａを、棚部２の枠体２６の前端にある支持部材３１の垂直上向き片３１ｃに嵌挿して取り付けられるので、外側からは取り付け部分が見えず見栄えがよい。さらに、透光性ケース３６は、支持部材３１の垂直上向き片３１ｃに嵌挿するだけで取り付けられるので、その取り付けが容易である。
【００５４】
また、透光性ケース３６が、棚部２の前端下側で棚部２の後方に向けて開口する如く円弧状に形成されているため、照明体３７にかかる配線が、透光性ケース３６の上記開口部分から延出されて、透光性ケース２６の前端側から見えないので見栄えがよい。
【００５５】
また、透光性ケース３６の左右両側には、透光性ケース３６の断面円弧状を象る円形あるいは長円形の側板４３が取り付けられている。これにより、透光性ケース３６の外観が、円柱あるいは長円柱のものが棚板２の前端の左右幅方向に沿って設けられている如く見れるので、商品陳列棚全体を一際目立たせることができる。
【００５６】
【発明の効果】
以上説明したように本発明による商品陳列棚の照明装置は、照明体を内部に有する透光性ケースが、棚部の前端上側から下方に向かって棚部の前端を覆い、棚部の前端下側で棚部の後方に向けて開口する如く円弧状に膨出するように形成されている。これにより、棚部の商品陳列スペースを透光性ケースが狭くすることがなく、且つ、照明光を外方に大きく広がるように照らして照明光をより明るく感じさせ、陳列した商品を一際目立たせることができる。
【００５７】
また、透光性ケースの左右両側に、透光性ケースの断面円弧状を象る円形あるいは長円形の側板を取り付けることにより、透光性ケースの外観が、円柱あるいは長円柱として棚部の前端の左右幅方向に沿って設けられている如く見れるので、商品陳列棚全体を一際目立たせることができる。
【００５８】
また、透光性ケースが、円弧状に膨出した内部の上側から垂下する固定片を、棚部の前端にある支持部材の垂直上向き片に嵌挿して取り付けるようにしているので、外側からは取り付け部分が見えず見栄えがよい。さらに、透光性ケースは、支持部材の垂直上向き片に嵌挿するだけで取り付けられるので、その取り付けが容易である。
【００５９】
また、透光性ケースが、棚部の前端下側で棚部の後方に向けて開口する如く円弧状に形成されているため、照明体にかかる配線は、透光性ケースの後側の開口部分から延出され、透光性ケースの前端側から見えないので見栄えがよい。
【００６０】
また、照明体は、棚部の前端にある支持部材の垂直下向き片に取り付けられている。これにより、透光性ケースと照明体とをそれぞれ別に取り付けできるため、照明体の取り付けおよび保守が容易となる。
【図面の簡単な説明】
【図１】本発明の照明装置が採用される商品陳列棚の一例を示す全体斜視図。
【図２】棚本体を示す分解斜視図。
【図３】（ａ）背面パネルを示す横断面図。
（ｂ）背面パネルを示す縦断面図。
【図４】広告灯を示す正面図。
【図５】広告灯を示す平面図。
【図６】広告灯を示す側断面図。
【図７】広告灯を示す斜視図。
【図８】棚部を示す分解斜視図。
【図９】棚部を示す側断面図。
【図１０】照明装置を示す側断面図。
【図１１】照明装置を示す斜視図。
【図１２】小側板を示す斜視図。
【図１３】小側板の組み立てを示す斜視図。
【図１４】大側板を示す斜視図。
【図１５】ハンガーを示す斜視図。
【図１６】（ａ）ネットを示す正面図。
（ｂ）ネットを示す側断面図。
【図１７】従来の照明装置を配する商品陳列棚を示す斜視図。
【符号の説明】
１…棚本体、２…棚部、３…基台、４…支柱、４ａ…下端、４ｂ…上端、４Ａ，４Ｂ，４Ｃ，４Ｄ…ユニット、５…フレーム、５ａ…後端、５ｂ…前端、６…支持梁、７…補強リブ、８…アジャスタ、９…基台カバー、１０…支持穴、１１…連結杆、１２…背面パネル、１２ａ…板体、１２ｂ…シート体、１３…レール、１５…広告灯、１６…柱材、１６ａ…下端、１６ｂ…前端、１７…梁材、１８…照明体、１９…弾性支持部、２０…透光性カバー、２１…有色カバー、２２…穿孔部、２５…支持アーム、２６…枠体、２６ａ，２６ｂ…梁材、２７…棚板、２８…係合爪、２９…係合爪、３０…係合穴、３１…支持部材、３１ａ…垂直下向き片、３１ｂ…水平片、３１ｃ…垂直上向き片、３２…止め板、３３…係止突起、３５…照明装置、３６…透光性ケース、３６ａ…爪部、３７…照明体、３８…基片、３９…固定片、３９ａ…固定溝、４０…取付け片、４０ａ…取付け溝、４１…透明薄板、４２…管理板、４３…側板、４４…照明体支持具、４４ａ…弾性支持部、４５…小側板、４５ａ…小側板本体、４５ｂ…支持片、４５ｃ…垂片、４６…大側板、４７…ハンガー、４８…板材、４８ａ…係合爪、４９…掛止板、５０…フック部材、５０ａ…掛止部、５０ｂ…棒状体、５１…ネット、５２…係合爪。
【図１】
0003787064.tif 000002
【図２】
0003787064.tif 000003
【図３】
0003787064.tif 000004
【図４】
0003787064.tif 000005
【図５】
0003787064.tif 000006
【図６】
0003787064.tif 000007
【図７】
0003787064.tif 000008
【図８】
0003787064.tif 000009
【図９】
0003787064.tif 000010
【図１０】
0003787064.tif 000011
【図１１】
0003787064.tif 000012
【図１２】
0003787064.tif 000013
【図１３】
0003787064.tif 000014
【図１４】
0003787064.tif 000015
【図１５】
0003787064.tif 000016
【図１６】
0003787064.tif 000017
【図１７】
0003787064.tif 000018